(57)【要約】【課題】相手の接続端子の挿入抵抗を増大させることなく雌型接続端子のガタつきを防止することができ、振動が作用する場合にも接続端子相互の電気的接続の信頼性を維持することができる雌型コネクタを提供すること。【解決手段】雌型ハウジング１３の端子収容室２１の前端部に、相手コネクタの完全嵌合時に相手コネクタによる押圧によって端子収容室２１側の端子規制位置に移動するフロントホルダ１５を装備し、フロントホルダ１５には、端子規制位置に移動したときに雌型接続端子１１の前端稜線部１１６，１１７を押圧する傾斜面１５６，１５７を設けたことで、相手の接続端子の挿入抵抗を増大させることなく雌型接続端子１１のガタつきを防止することができる。【選択図】図１２
2011065932.tif 000002
【特許請求の範囲】
【請求項１】
雌型接続端子と、該雌型接続端子を後端側から収容して前端側を相手コネクタに嵌合させることで、相手コネクタ内の雄型接続端子と前記雌型接続端子との嵌合接続状態を得る雌型ハウジングとを備え、
前記雌型ハウジングには、後端側から前記雌型接続端子が挿入可能な端子収容室を有した端子収容部と、当該端子収容室に臨んで設けられていて、前記雌型接続端子の挿入時には挿入を許容するように弾性変形し且つ挿入完了時には復帰して前記雌型接続端子の挿入方向と逆方向への抜脱を規制するランスと、を備えた雌型コネクタであって、
前記端子収容室の貫通方向に沿って移動可能に前記雌型ハウジングの前記端子収容部の前端部に装着されて、前記相手コネクタの完全嵌合時に相手コネクタによる押圧によって前記端子収容室側の端子規制位置に移動するフロントホルダと、
前記端子収容室の雌型接続端子の前端稜線部に対向するように、前記フロントホルダに形成されて、前記フロントホルダが前記端子規制位置に移動したときに前記前端稜線部を押圧して、前記前端稜線部に端子挿入方向と逆向きである抜脱方向及び該抜脱方向に直交する方向に付勢する傾斜面と、
を設けたことを特徴とする雌型コネクタ。
【請求項２】
前記フロントホルダには、前記傾斜面が、前記雌型接続端子の前端の両側の稜線部を挟むように対向配置されていることを特徴とする請求項１に記載のコネクタ。
【請求項３】
前記フロントホルダには、前記傾斜面が、前記雌型接続端子の前端の上下の稜線部を挟むように対向配置されていることを特徴とする請求項１又は２に記載のコネクタ。
【発明の詳細な説明】
【技術分野】
【０００１】
本発明は、雌型ハウジングの端子収容室に収容した雌型接続端子を、前記端子収容室に臨むように前記雌型ハウジングに一体形成されているランスにより抜け止めする雌型コネクタに関する。
【背景技術】
【０００２】
従来より、雌型コネクタとして、雌型ハウジングの端子収容室に収容した雌型接続端子を、前記端子収容室に臨むように前記雌型ハウジングに一体形成されているランスにより抜け止めする構成のものが、各種開発されている。
【０００３】
このような雌型コネクタは、前端側を相手コネクタに嵌合させることで、相手コネクタ内の雄型接続端子と前記雌型接続端子との嵌合接続状態を得る。
【０００４】
ところで、通常の雌型コネクタでは、雌型接続端子の挿入作業が容易にできるように、雌型ハウジングの端子収容室は、雌型接続端子の外形寸法に若干のクリアランス分を加算した断面形状に設計されている。
また、ランスによる係合も、通常、雌型接続端子の挿抜方向の移動を完全に規制するものではなく、ランスの揺動軌道の関係で、接続端子の挿抜方向への微少な変位を許容する。
【０００５】
言い換えると、ランスにより端子収容室内に係止されている雌型接続端子には、端子挿入方向、幅方向、上下方向のそれぞれに、ガタを招く微少なクリアランスが残っている。
そして、相手コネクタに嵌合接続された状況でも、上記の各クリアランスが残っていると、コネクタに振動が作用した場合に、嵌合接続されている雌雄の接続端子が振動によりガタつきを生じる。雌雄の接続端子のガタつきは、雌雄の接続端子の接点同士の微摺動を招き、接点の摩耗を早めて電気的接続不良を招くおそれがあった。
【０００６】
そこで、ハウジング内における接続端子のガタつきを無くすように配慮した雌型コネクタとして、下記特許文献１や特許文献２に示すものが提案されている。
【０００７】
特許文献１に開示された雌型コネクタは、雌型ハウジングの端子収容室の前端部にフロントホルダを装備している。そして、このフロントホルダに、端子収容室内の雌型接続端子の前端に弾性変形状態で当接する細幅のリブを装備し、リブによる押圧で、ガタつきを防止する。
【０００８】
特許文献２に開示された雌型コネクタは、雌型接続端子を収容したサブコネクタを、フレームを介して雌型ハウジングに装着するようにしている。サブコネクタは、雌型接続端子が挿入される端子収容室と、端子収容室に臨んで設けられていて端子収容室に挿入された接続端子を抜け止めするランスとを備えている。また、フレームは、サブコネクタを装着する箱形の枠体である。このフレームは、サブコネクタの端子収容室の前端に対向する位置に、サブコネクタ内の雌型接続端子の前端稜線部に当接する傾斜面を有している。従って、雌型接続端子を収容したサブコネクタをフレームに装着すると、フレームの傾斜面が雌型接続端子の前端稜線部に当接して、ガタつきを防止する。ガタつきを防止した状態で雌型接続端子を収容したフレームが、雌型ハウジングに装着固定される。
【先行技術文献】
【特許文献】
【０００９】
【特許文献１】特開２００６−１９６３４８号公報
【特許文献２】特開２００９−０４８８９０号公報
【発明の概要】
【発明が解決しようとする課題】
【００１０】
ところが、上記特許文献１の雌型コネクタの場合、リブに当接する直前の雌型接続端子が端子収容室内のクリアランスのために傾斜していると、リブとの当接により傾斜状態のまま固定されてしまい、雌型コネクタの姿勢を修正できないという問題が生じた。
また、細幅のリブは、変形が残り易く、雌型接続端子の挿抜を繰り返すと、雌型接続端子を十分にガタ止めできなくなるおそれがあった。
【００１１】
特許文献２に記載の雌型コネクタの場合は、雌型接続端子に当接する傾斜面を、雌型接続端子の前端部を挟むように対称に配置しておくことで、対称軸上に雌型接続端子を誘導する作用が発生し、傾斜面相互の対称軸に対する雌型接続端子の傾きを修正することもできる。
しかし、特許文献２の雌型コネクタは、雌型コネクタを相手コネクタに嵌合接続する前に、既に雌型接続端子が固定されているため、相手コネクタの雄型接続端子の挿入方向に対して雌型接続端子を追従させる柔軟性がない。その結果、相手の接続端子の挿入抵抗を増大させて、コネクタ相互の嵌合操作性を低下させるおそれがあった。
【００１２】
そこで、本発明の目的は上記課題を解消することに係り、相手の接続端子の挿入抵抗を増大させることなく雌型接続端子のガタつきを防止することができ、振動が作用する場合にも接続端子相互の電気的接続の信頼性を維持することができる雌型コネクタを提供することにある。
【課題を解決するための手段】
【００１３】
本発明の前述した目的は、下記の構成により達成される。
（１）雌型接続端子と、該雌型接続端子を後端側から収容して前端側を相手コネクタに嵌合させることで、相手コネクタ内の雄型接続端子と前記雌型接続端子との嵌合接続状態を得る雌型ハウジングとを備え、
前記雌型ハウジングには、後端側から前記雌型接続端子が挿入可能な端子収容室を有した端子収容部と、当該端子収容室に臨んで設けられていて、前記雌型接続端子の挿入時には挿入を許容するように弾性変形し且つ挿入完了時には復帰して前記雌型接続端子の挿入方向と逆方向への抜脱を規制するランスと、を備えた雌型コネクタであって、
前記端子収容室の貫通方向に沿って移動可能に前記雌型ハウジングの前記端子収容部の前端部に装着されて、前記相手コネクタの完全嵌合時に相手コネクタによる押圧によって前記端子収容室側の端子規制位置に移動するフロントホルダと、
前記端子収容室の雌型接続端子の前端稜線部に対向するように、前記フロントホルダに形成されて、前記フロントホルダが前記端子規制位置に移動したときに前記前端稜線部を押圧して、前記前端稜線部に端子挿入方向と逆向きである抜脱方向及び該抜脱方向に直交する方向に付勢する傾斜面と、
を設けたことを特徴とする雌型コネクタ。
【００１４】
（２）前記フロントホルダには、前記傾斜面が、前記雌型接続端子の前端の両側の稜線部を挟むように対向配置されていることを特徴とする上記（１）に記載のコネクタ。
【００１５】
（３）前記フロントホルダには、前記傾斜面が、前記雌型接続端子の前端の上下の稜線部を挟むように対向配置されていることを特徴とする上記（１）又は（２）に記載のコネクタ。
【００１６】
上記（１）の構成によれば、雌型ハウジングの端子収容室に収容されている雌型接続端子のガタつきをとるガタ止めは、当該雌型コネクタと相手コネクタとの完全嵌合時に行われる。
そのため、相手コネクタとの嵌合接続操作中には、相手コネクタの雄型接続端子の挿入方向に対して雌型接続端子を追従させる柔軟性が確保されている。そのため、雄型接続端子と雌型接続端子との軸芯がずれて挿入抵抗が増大することを回避することができる。
従って、相手の接続端子の挿入抵抗を増大させることなく雌型接続端子のガタつきを防止することができ、振動が作用する場合にも接続端子相互の電気的接続の信頼性を維持することができる。
【００１７】
また、ガタ止めは、フロントホルダに設けた傾斜面で雌型接続端子の前端稜線部を押圧することによるもので、細幅のリブで雌型接続端子の前端を押圧する場合と比較すると、押圧部に変形が残り難く、雌型接続端子の挿抜を繰り返しても、ガタ止め性能が低下することがない。
【００１８】
また、ガタ止めのために雌型接続端子の前端稜線部に当接した傾斜面は、前端稜線部に対して、端子挿入方向と逆向きである抜脱方向及び該抜脱方向に直交する方向の２つの方向に、付勢力を作用させる。
そのため、傾斜面を、雌型接続端子の前端部を挟むように対称に配置しておくことで、対称軸上に雌型接続端子を誘導する作用が発生し、傾斜面相互の対称軸に対する雌型接続端子の傾きを修正することもできる。
【００１９】
上記（２）の構成によれば、対向配置された傾斜面により、雌型接続端子の幅方向のガタつきを防止すると同時に、雌型接続端子がランス側に付勢されて、雌型接続端子の挿抜方向のガタつきを防止することができる。また、雌型接続端子の幅方向への傾斜を修正することができる。
【００２０】
上記（３）の構成によれば、対向配置された傾斜面により、雌型接続端子の上下向のガタつきを防止すると同時に、雌型接続端子がランス側に付勢されて、雌型接続端子の挿抜方向のガタつきを防止することができる。また、雌型接続端子の上下方向への傾斜を修正することができる。
また、雌型接続端子の前端の上下の稜線部を挟むように対向配置された傾斜面の他に、雌型接続端子の前端の両側の稜線部を挟むように対向配置された傾斜面も装備されている場合には、更に、雌型接続端子の幅方向のガタつきも防止され、雌型接続端子の挿抜方向、幅方向、上下方向のすべてのガタつきを防止することができる。
【発明の効果】
【００２１】
本発明によるコネクタによれば、雌型接続端子のガタ止めは、当該雌型コネクタと相手コネクタとの完全嵌合時に行われるため、相手コネクタとの嵌合接続操作中には、相手コネクタの雄型接続端子の挿入方向に対して雌型接続端子を追従させる柔軟性が確保されている。そのため、相手の接続端子の挿入抵抗を増大させることなく雌型接続端子のガタつきを防止することができ、振動が作用する場合にも接続端子相互の電気的接続の信頼性を維持することができる。
【００２２】
また、ガタ止めは、フロントホルダに設けた傾斜面で行うため、押圧部に変形が残り難く、雌型接続端子の挿抜を繰り返しても、ガタ止め性能が低下することがない。
【００２３】
また、ガタ止めのための傾斜面を、雌型接続端子の前端部を挟むように対称に配置しておくことで、傾斜面相互の対称軸に対する雌型接続端子の傾きを修正することもできる。
【図面の簡単な説明】
【００２４】
【図１】本発明に係る雌型コネクタの一実施形態の分解斜視図である。
【図２】図１に示した雌型コネクタに相手の雄型コネクタが完全嵌合されて、フロントホルダの傾斜面により雌型接続端子のガタ止めがなされている状態の水平断面図である。
【図３】図２のＡ−Ａ断面図である。
【図４】フロントホルダが仮係止位置に装着された雌型ハウジングに雌型接続端子が挿入される前の水平断面図である。
【図５】図４のＢ−Ｂ断面図である。
【図６】図５に示した雌型ハウジングに挿入された雌型接続端子がランスにより係止されている状態の縦断面図である。
【図７】図１に示したフロントホルダの拡大図である。
【図８】図７のＣ部の拡大図である。
【図９】（ａ）は図７に示したフロントホルダの正面図、（ｂ）は（ａ）のＤ−Ｄ断面図、（ｃ）は（ｂ）のＥ部の拡大図である。
【図１０】雌型接続端子の装着後に、フロントホルダを本係止位置に移動させた状態の平面図である。
【図１１】図１０のＦ−Ｆ断面図である。
【図１２】図１０のＧ部の拡大図である。
【図１３】図１２のＨ部の拡大図である。
【図１４】図２のＩ部の拡大図である。
【図１５】図１４のＪ部の拡大図である。
【発明を実施するための形態】
【００２５】
以下、本発明に係る雌型コネクタの好適な実施形態について、図面を参照して詳細に説明する。
【００２６】
図１は、本発明に係る雌型コネクタの一実施形態の分解斜視図である。
この一実施形態の雌型コネクタ１は、相手コネクタである雄型コネクタ３に嵌合接続される。
【００２７】
雄型コネクタ３は、図３に示すように、雌型コネクタ１と嵌合する筒状部４の内側に、舌状の雄型接続端子５が固定装備されている。
【００２８】
雌型コネクタ１は、図１に示すように、雌型接続端子１１と、雌型ハウジング１３と、雌型ハウジング１３に嵌合装着されるパッキン１４及びフロントホルダ１５と、嵌合操作用のレバー１７とを備えている。
【００２９】
雌型接続端子１１は、図２〜図４に示すように、雄型接続端子５が嵌合する角筒状の端子嵌合部１１１と、その後端に連なる電線圧着部１１２とが金属板で一体形成されている。
電線１８を圧着した電線圧着部１１２には、ゴム栓１９が被嵌装着される。ゴム栓１９は、後述する端子収容室の開口を封止する。
【００３０】
雌型ハウジング１３は、図４及び図５に示すように、端子収容室２１を有した端子収容部２３と、雄型コネクタ３の筒状部４の上に被さる外筒部２５とを備えている。
端子収容部２３の端子収容室２１は、ハウジングの後端側に開放して設けられている。端子収容室２１へは、ハウジングの後端側から雌型接続端子１１が挿入される。
【００３１】
本実施形態の端子収容部２３には、図４及び図５に示すように、３個の端子収容室２１が一列に整列配備されている。
端子収容部２３には、図５に示すように、各端子収容室２１に臨んで、ランス２６が設けられている。更に、端子収容部２３の前端面には、ランス２６の背面が臨むように変位許容溝２３２が穿設されている。
【００３２】
また、図２に示したように、隣接する端子収容室２１間を区画する隔壁部２３４の前端面には、後述するフロントホルダ１５を端子収容室２１の貫通方向に沿って移動可能に支持するための誘導溝２３５が穿設されている。
【００３３】
ランス２６は、ハウジングの後端側から前端側に向かって延びる片持ち梁状の弾性片２６１と、この弾性片２６１の先端側から端子収容室２１内に突出した係止突起２６２とを備えている。
ランス２６は、雌型接続端子１１の挿入時には挿入を許容するように変位許容溝２３２側に弾性変形し、且つ挿入完了時には復帰して、図６に示すように端子嵌合部１１１の係合凹部１１４に係合して、雌型接続端子１１の挿入方向と逆方向への抜脱を規制する。
【００３４】
変位許容溝２３２は、接続端子挿入時に、ランス２６の弾性変位を許容する空間となるだけでなく、後述のフロントホルダ１５のロック片が嵌入することで、ランス２６の弾性変位を規制する。
【００３５】
パッキン１４は、図３及び図５に示すように、端子収容部２３の外周に嵌合装着される。パッキン１４は、端子収容部２３に嵌合したシール用筒部１４１と、このシール用筒部１４１の基端に張り出して形成された鍔部１４２とを備えている。
【００３６】
パッキン１４は、図３に示すように、雄型コネクタ３が雌型コネクタ１に完全嵌合（嵌合完了）したとき、パッキン１４のシール用筒部１４１は筒状部４の内周に緊密嵌合する。また、その時、パッキン１４の鍔部１４２には、筒状部４の先端が密着する。言い換えると、パッキン１４は、筒状部４の先端面及び先端側の内周に密着することで、筒状部４と端子収容部２３との嵌合部を封止する。
【００３７】
フロントホルダ１５は、図５に示すように、端子収容部２３の前端部（即ち、端子収容室２１の前端部）に嵌合装着される。
フロントホルダ１５は、図７及び図８に示すように、前端に、雄型接続端子５の挿入口となる開口１５１を有している。この開口１５１は、端子収容部２３の各端子収容室２１毎に装備されている。各開口１５１は、各端子収容室２１の前端に連通する。
【００３８】
フロントホルダ１５は、図５及び図７〜図９に示すように、端子収容部２３の前端側外周に摺動可能に嵌合するホルダ筒１５２と、端子収容部２３の誘導溝２３５に摺動可能に嵌合するガイドリブ１５３と、端子収容部２３の変位許容溝２３２に嵌入可能なロック片１５４（図５参照）とを備えている。
【００３９】
フロントホルダ１５は、図１０及び図１１に示すように、ホルダ筒１５２を端子収容部２３の前端部外周に嵌合させると共に、ガイドリブ１５３を誘導溝２３５に嵌合させることで、端子収容室２１の貫通方向に沿って移動可能に、端子収容部２３の前端部に装着される。このとき、図１１に示すように、ロック片１５４は、変位許容溝２３２に嵌入する。
【００４０】
フロントホルダ１５は、端子収容部２３への取り付け位置を、端子収容室２１の貫通方向に沿って、仮係止位置、本係止位置、端子規制位置の３位置に切り替えることができる。
【００４１】
フロントホルダ１５の仮係止位置は、図５に示した位置で、ロック片１５４の先端がランス２６の背面に重ならない位置である。このとき、ランス２６は、変位許容溝２３２側に自由に弾性変位することができ、雌型接続端子１１を端子収容室２１に挿入・装着することができる。
【００４２】
フロントホルダ１５の本係止位置は、図１１に示した位置で、ロック片１５４の先端がランス２６の背面に重なる位置まで、変位許容溝２３２に嵌入している。このとき、ランス２６は、ロック片１５４により変位許容溝２３２側への弾性変位が規制されており、ランス２６と雌型接続端子１１との形状状態がロック状態となる。
【００４３】
図１０及び図１１に示すように、フロントホルダ１５を本係止位置に押し込んだ状態で、雌型コネクタ１の前端側を雄型コネクタ３に嵌合させると、図２及び図３に示すように、雄型コネクタ３内の雄型接続端子５と雌型接続端子１１との嵌合接続状態が得られる。
【００４４】
フロントホルダ１５の端子規制位置は、図３に示した位置である。フロントホルダ１５は、雄型コネクタ３が雌型コネクタ１に完全嵌合すると、雄型コネクタ３がフロントホルダ１５の前端面を押圧することにより、更に端子収容部２３上を、端子収容室２１の後端側に移動して、上記端子規制位置に位置決めされる。
【００４５】
本実施形態のフロントホルダ１５は、図７〜図９に示すように、各端子収容室２１に対応した各開口１５１の下縁部内面側に、雌型接続端子１１を位置規制するための第１傾斜面１５６及び第２傾斜面１５７が設けられている。
【００４６】
第１傾斜面１５６は、図１２及び図１３に示すように、雌型接続端子１１の前端の一側（図１２では左側）の稜線部１１６に対向して設けられている。第１傾斜面１５７は、雌型接続端子１１の前端の他側（図１２では右側）の稜線部１１７に対向して設けられている。
【００４７】
第１傾斜面１５６と第２傾斜面１５７は、フロントホルダ１５の前端の開口１５１に向かって、両傾斜面間の開口幅を狭める傾斜面である。これらの傾斜面１５６，１５７相互は、雌型接続端子１１の両側の稜線部１１６，１１７を挟むように対向配置されている。
【００４８】
上記の傾斜面１５６，１５７は、フロントホルダ１５が本係止位置に位置決めされているときには、図１２及び図１３に示したように、稜線部１１６，１１７から離間している。
【００４９】
上記の傾斜面１５６，１５７は、図１４及び図１５に示すように、雄型コネクタ３の完全嵌合によってフロントホルダ１５が端子規制位置に移動したときに、前端稜線部１１６，１１７を押圧して、前端稜線部１１６，１１７に端子挿入方向と逆向きである抜脱方向（図１５の矢印Ｘ１、Ｘ２方向）及び該抜脱方向に直交する方向（図１５のＹ１，Ｙ２方向）に付勢する。
【００５０】
この傾斜面１５６，１５７による付勢によって、雌型接続端子１１はランス２６の係止突起２６２と各傾斜面１５６，１５７とに挟持された状態になり、端子収容室２１内のクリアランスによる前後方向のガタつきが防止されると共に、雌型接続端子１１の幅方向のガタつきが防止される。
【００５１】
以上に説明した一実施形態の雌型コネクタ１では、雌型ハウジング１３の端子収容室２１に収容されている雌型接続端子１１のガタつきをとるガタ止めは、当該雌型コネクタ１と相手コネクタとの完全嵌合時に行われる。
【００５２】
そのため、相手コネクタとの嵌合接続操作中には、相手コネクタの雄型接続端子の挿入方向に対して雌型接続端子１１を追従させる柔軟性が確保されている。そのため、雄型接続端子と雌型接続端子１１との軸芯がずれて挿入抵抗が増大することを回避することができる。
従って、相手の接続端子の挿入抵抗を増大させることなく雌型接続端子１１のガタつきを防止することができ、振動が作用する場合にも接続端子相互の電気的接続の信頼性を維持することができる。
【００５３】
また、ガタ止めは、フロントホルダ１５に設けた傾斜面１５６，１５７で雌型接続端子１１の前端稜線部１１６，１１７を押圧することによるもので、細幅のリブで雌型接続端子の前端を押圧する場合と比較すると、押圧部に変形が残り難く、雌型接続端子１１の挿抜を繰り返しても、ガタ止め性能が低下することがない。
【００５４】
また、ガタ止めのために雌型接続端子１１の前端稜線部１１６，１１７に当接した傾斜面１５６，１５７は、前端稜線部１１６，１１７に対して、端子挿入方向と逆向きである抜脱方向及び該抜脱方向に直交する方向の２つの方向に付勢力を作用させる。
そのため、傾斜面１５６，１５７を、雌型接続端子１１の前端部を挟むように対称に配置しておくことで、対称軸上に雌型接続端子１１を誘導する作用が発生し、傾斜面１５６，１５７相互の対称軸に対する雌型接続端子１１の傾きを修正することもできる。
【００５５】
また、本実施形態の雌型コネクタ１の場合、フロントホルダ１５には、各端子収容室２１毎に、二つの傾斜面１５６，１５７が、雌型接続端子１１の前端の両側の稜線部１１６，１１７を挟むように対向配置されている。
そのため、対向配置された傾斜面１５６，１５７により、雌型接続端子１１の幅方向のガタつきを防止すると同時に、雌型接続端子１１がランス２６側に付勢されて、雌型接続端子１１の挿抜方向のガタつきを防止することができ、更に、雌型接続端子１１の幅方向への傾斜を修正することができる。
【００５６】
なお、上記の実施形態では、ガタつき防止のための一対の傾斜面を、雌型接続端子１１の前端を両側から挟むように対向配置した。
しかし、ガタつき防止のための一対の傾斜面を、雌型接続端子１１の前端の上下の稜線部を挟むように対向配置するようにしても良い。
【００５７】
このようにすると、対向配置された上下の傾斜面により、雌型接続端子の上下向のガタつきを防止すると同時に、雌型接続端子がランス側に付勢されて、雌型接続端子の挿抜方向のガタつきを防止することができる。また、雌型接続端子１１の上下方向への傾斜を修正することもできる。
【００５８】
また、雌型接続端子の前端の上下の稜線部を挟むように対向配置された傾斜面の他に、一実施形態のように雌型接続端子の前端の両側の稜線部を挟むように対向配置された傾斜面も装備されている場合には、雌型接続端子１１の挿抜方向、幅方向、上下方向のすべてのガタつきを防止することができる。
【００５９】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００６０】
例えば、上記実施形態の傾斜面１５６，１５７は、単純な平坦面による傾斜面だけでなく、平坦面に適度の湾曲を付与した湾曲面としても良い。
【符号の説明】
【００６１】
１  雌型コネクタ
３  雄型コネクタ
５  雄型接続端子
１１  雌型接続端子
１３  雌型ハウジング
１４  パッキン
１５  フロントホルダ
２１  端子収容室
２３  端子収容部
２６  ランス
１１１  端子嵌合部
１１４  係合凹部
１１６，１１７  稜線部
１５１  開口
１５２  ホルダ筒
１５３  ガイドリブ
１５４  ロック片
１５６，１５７  傾斜面
２３２  変位許容溝
２３４  隔壁部
２３５  誘導溝
【図１】
2011065932.tif 000003
【図２】
2011065932.tif 000004
【図３】
2011065932.tif 000005
【図４】
2011065932.tif 000006
【図５】
2011065932.tif 000007
【図６】
2011065932.tif 000008
【図７】
2011065932.tif 000009
【図８】
2011065932.tif 000010
【図９】
2011065932.tif 000011
【図１０】
2011065932.tif 000012
【図１１】
2011065932.tif 000013
【図１２】
2011065932.tif 000014
【図１３】
2011065932.tif 000015
【図１４】
2011065932.tif 000016
【図１５】
2011065932.tif 000017